(57)【要約】【課題】内装監理士という従来にはない新しい資格制度を創るのに際し、内装監理士たる資格を保有していることを証するのに好適な、カード型の免許証を提供すること。【解決手段】内装監理士たる資格を保有することを証するための内装監理士用免許証であって、カード型の免許証の一面に、内装監理士たる資格を保有することを証する証明部分と、内装監理士を登録した者の氏名と、内装監理士を登録した者の登録番号と、内装監理士を登録した登録年月日と、内装監理士たる資格が有効に免許される期限を示す有効期限と、が少なくとも表示されている。【選択図】図１
0003180529.tif 000002
【実用新案登録請求の範囲】
【請求項１】
内装監理士たる資格を保有することを証するための内装監理士用免許証であって、
カード型の免許証の一面に、
内装監理士たる資格を保有することを証する証明部分と、
内装監理士を登録した者の氏名と、
内装監理士を登録した者の登録番号と、
内装監理士を登録した登録年月日と、
内装監理士たる資格が有効に免許される期限を示す有効期限と、
が少なくとも表示されていることを特徴とする内装監理士用免許証。
【請求項２】
前記証明部分、氏名、登録番号、登録年月日および有効期限が表示されている面に、内装監理士を登録する者の顔写真を表示する写真表示部が設けられることを特徴とする請求項１に記載の内装監理士用免許証。
【請求項３】
前記証明部分、氏名、登録番号、登録年月日および有効期限が記載されている面の裏側には、内装監理士に関する各種講習の受講履歴が記載される受講履歴部が設けられていることを特徴とする請求項１または２に記載の内装監理士用免許証。
【考案の詳細な説明】
【技術分野】
【０００１】
本考案は、内装監理士たる資格を保有することを証するための内装監理士用免許証に関する。
【背景技術】
【０００２】
各種の資格制度において、資格を保有していることを証するための証明書として、例えば運転免許証のようなカード型の免許証が採用される場合がある。かかるカード型の免許証は、財布などに収容することで容易に携帯することができるため、当該資格を保有していることを頻繁に証明する必要がある資格などの場合において便利である。
【考案の概要】
【考案が解決しようとする課題】
【０００３】
本考案は、内装監理士という従来にはない新しい資格制度を創るのに際し、内装監理士たる資格を保有していることを証するのに好適なカード型の免許証を提供することを目的とする。
【課題を解決するための手段】
【０００４】
本考案は上述したような目的を達成するためになされた考案であって、
本考案の少なくとも一つの実施形態は、
内装監理士たる資格を保有することを証するための内装監理士用免許証であって、
カード型の免許証の一面に、
内装監理士たる資格を保有することを証する証明部分と、
内装監理士を登録した者の氏名と、
内装監理士を登録した者の登録番号と、
内装監理士を登録した登録年月日と、
内装監理士たる資格が有効に免許される期限を示す有効期限と、
が少なくとも表示されていることを特徴とする。
【０００５】
また、本考案の一実施形態は、
前記証明部分、氏名、登録番号、登録年月日および有効期限が表示されている面に、内装監理士を登録する者の顔写真を表示する写真表示部が設けられることを特徴とする。
【０００６】
また、本考案の一実施形態は、
前記証明部分、氏名、登録番号、登録年月日および有効期限が記載されている面の裏側には、内装監理士に関する各種講習の受講履歴が記載される受講履歴部が設けられていることを特徴とする。
【考案の効果】
【０００７】
本考案によれば、内装監理士という従来にはない新しい資格制度を創るのに際し、内装監理士用免許証として最低限必要な表示項目のみを表示するように構成したことから、携帯に好適なカード型の免許証を提供することができる。
【図面の簡単な説明】
【０００８】
【図１】本考案の一実施形態における内装監理士用免許証を示した図である。
【図２】本考案の一実施形態における内装監理士の業務内容を示したイメージチャートである。
【図３】従来の内装監理士制度がない場合における業務内容を示したイメージチャートである。
【考案を実施するための形態】
【０００９】
以下、本考案の実施形態について、図面に基づいて詳細に説明する。
ただし、本考案の範囲は以下の実施形態に限定されるものではない。以下の実施形態に記載されている構成部品の寸法、材質、形状、その相対配置などは、特に記載がない限り、本考案の範囲をそれにのみ限定する趣旨ではなく、単なる説明例に過ぎない。
【００１０】
＜内装監理士用免許証１について＞
図１は、本考案の一実施形態における内装監理士用免許証を示した図である。図１に示したように、内装監理士用免許証１は運転免許証のようなカード型である。内装監理士用免許証１の大きさは、本考案において特に限定されるものではないが、財布に収容し易いようにクレジットカードやキャッシュカードなどと同程度に形成されるのが好ましく、その一例としては縦５〜６cm×横７〜９cmである。
【００１１】
また、内装監理士用免許証１の表面の上側中央部分には、内装監理士たる資格を保有することを証する証明部分２が表示されている。本実施形態では、証明部分２として「内装監理士免許証明書」と表示されている。その他の証明部分２の表示例として、例えば「内装監理士証明書」「内装監理士免許証」「内装監理士免許」等の表示が挙げられる。
【００１２】
また、内装監理士用免許証１の表面には、上記証明部分２の他に、内装監理士を登録した者の氏名３、内装監理士を登録した者の登録番号４、内装監理士を登録した登録年月日５、および内装監理士たる資格が有効に免許される期限を示す有効期限６などが表示される。またこれらに加えて、内装監理士を登録した者の生年月日を表示しても良い。
【００１３】
また、内装監理士用免許証１の表面の下側には、符号７に示したように、内装監理士用免許証１を交付主体である団体名、その団体の代表者名、および証明印等を表示する。さらに、符号７の下には、内装監理士用免許証１が交付された年月日である交付年月日８を表示する。
【００１４】
また、内装監理士用免許証１の表面の右側には、内装監理士を登録する者の顔写真を表示する写真表示部９が設けられている。このような写真表示部９が内装監理士用免許証１の表面に設けられていれば、内装監理士用免許証１の表面側を他人に提示するだけで、簡単かつ確実に、内装監理士の資格を保有する本人であることを証明することができる。
【００１５】
また、内装監理士用免許証１の裏面には、例えば内装監理士に関する各種講習の受講履歴が記載される受講履歴部１０が設けられている。この受講履歴部１０としては、例えば、受講した講習の名称や種別等が記載される講習種別欄１０ａ、当該講習を修了した年月日が記載される修了年月日欄１０ｂ、および講習を修了したことの証明としての修了番号を表示する修了番号欄１０ｃなどから構成される。
【００１６】
後述するように、内装監理士には高い専門的知識が要求されるため、内装監理士の資格を有する者は、内装監理士に関する各種講習を継続して受講し、その専門的知識の維持向上に努める必要がある。よって、このような受講履歴部１０が内装監理士用免許証１の裏面に設けられていることで、内装監理士の資格を保有する者の講習受講歴が一目で把握することができるとともに、その者の講習受講に対するモチベーションの向上にも資する。
【００１７】
＜内装監理士の業務内容について＞
次に、内装監理士の業務内容について、図２および図３を用いて説明する。図２は、本考案の一実施形態における内装監理士の業務内容を示したイメージチャートである。図３は、従来の内装監理士制度がない場合における業務内容を示したイメージチャートである。
【００１８】
本考案における内装監理士とは、簡単に言えば、複数のテナントが入居する商業施設の新築および改修の際において、入居する各テナントにかかる各種の消防届出手続きを一括して代理するとともに、各テナントの設計・施工監理を一括して行う権限を有する資格を指す。
【００１９】
すなわち、商業施設の新築工事や改修工事の際は、消防法等に基づき、管轄消防署等に申請や届出を行わなければならない。当該申請および届出の手続きは、商業施設全体についてだけでなく、当該商業施設に入居する各テナント単位でも行う必要がある。例えば図３に示したように、入居する各テナント（Ａ）（Ｂ）（Ｃ）（Ｄ）は、それぞれが管轄消防署に事前相談して消防計画書を提出するとともに、防火対象物工事等計画届出書、防火対象物使用開始届出書、消防用設備等設置届出書などの各種消防届出書を提出して、管轄消防署の検査を受けなければならない。また、各テナント（Ａ）（Ｂ）（Ｃ）（Ｄ）は、テナント工事に使用した図面や各種書類を竣工図書として纏めて、ビル所有者に提出しなければならない。
【００２０】
しかしながら、管轄消防署への各種手続きや竣工図書の取り纏め等をテナント単位で行うことは、各テナントにとって大きな負担であるほか、各テナントに対して個別に応対しなければならないという点において、管轄消防署にとっても大きな負担である。また、ビル管理者にとっても、各テナントが個別に活動し、各テナントからバラバラに竣工図書が提出されるため、その管理が煩雑であるとともに、統一的な設計・施工監理が難しいとの問題がある。
【００２１】
そこで、商業施設の内装工事全体を監理する専門的な資格である内装監理士との資格を創り、ビル管理者等より選任された内装監理士が、入居する各テナントにかかる各種の消防届出手続きを一括して代理するとともに、各テナントの設計・施工監理を一括して行うようにすることで、上記問題点を解決することができる。
【００２２】
内装監理士の業務内容のイメージは以下の通りである。すなわち、図２に示したように、内装監理士は、（１）ビル所有者と業務契約を締結し、（２）ビル所有者より、施設全体および各テナントの内装監理業務に関する専任指名を受ける。選任された内装監理士は、  施設全体の各種内装工事の概要を記載した工事概要一覧表を作成するとともに、内装工事の全体予定表を作成する。また、各種消防届出書の取り纏めを行う。そして（３）管轄消防署に専任届を提出した後、（４）管轄消防署に施設全体および各テナントにかかる消防計画の届出を行う。
【００２３】
また、内装監理士は、（５）当該施設における内装設計の指針である設計指針書を作成し、各テナントに対して説明を行う。各テナントは、設計指針に沿った内装設計を行い、（６）作成した設計図書を内装監理士に提出する。各テナントより設計図書の提出を受けた内装監理士は、（７）管轄消防署および関係諸官庁に対して事前相談を行い、提出された設計図書が関係法規に則っているかを確認する。
【００２４】
また、内装監理士は、（８）当該施設における内装工事の指針である施工指針書を作成し、各テナントに対して説明を行う。また、内装監理士は、（９）ビル所有者から施設全体にかかる各種消防届出書の提出を受けるとともに、各テナントからもそれぞれのテナントにかかる各種消防届出書の提出を受け、これらを纏めて管轄消防署へと提出する。また、内装監理士は、（１０）管轄消防署から通知された検査結果を、各テナントに対して通知する。
【００２５】
これら（１）〜（１０）の後に、内装監理士は、各テナントから竣工図書の提出を受けるとともに、これを取り纏めてビル所有者へと提出することで、その業務を終了する。
【００２６】
以上のとおり、内装監理士という資格制度を新たに創り、従来は各テナントが個別に行っていた管轄消防署等への手続きを内装監理士が一括して代理するようにすることで、各テナントの負担軽減を図ることができるばかりでなく、監督する管轄消防署等にとっても、負担軽減となる。また、ビル管理者にとっても、内装監理士を通して統一的な設計・施工監理を行うことができるという点で利点がある。
【００２７】
このような業務を行う内装監理士は、建築基準法や消防法等の各種の関連法規に精通していなければならず、高い専門的知識が求められる。このため、内装監理士の資格は、例えば、内装監理士として必要な知識を習得しているかを確認する筆記試験に合格した者にだけ付与することが考えられる。
【００２８】
また例えば、一級建築士の資格を保有している者に対しては、所定の講習を受講したことを条件として、例外的に無試験で内装監理士の資格を付与することも考えられる。
【００２９】
また例えば、内装監理士の資格を更新制とし、所定の期間に所定単位以上の講習を受講することを条件として、内装監理士の資格を更新することができるようにすることも考えられる。この場合には、上述した内装監理士用免許証１の裏面の受講履歴部１０を有効に活用することができる。
【００３０】
以上、本考案の好ましい形態について説明したが、本考案は上記の形態に限定されるものではなく、本考案の目的を逸脱しない範囲での種々の変更が可能である。
【産業上の利用可能性】
【００３１】
本考案の内装監理士用免許証は、内装監理士という従来にはない新しい資格制度を創るのに際し、内装監理士たる資格を保有していることを証する免許証として利用可能である。
【符号の説明】
【００３２】
１          内装監理士用免許証
２          証明部分
３          氏名
４          登録番号
５          登録年月日
６          有効期限
７          交付主体
８          交付年月日
９          写真表示部
１０        受講履歴部
【図１】
0003180529.tif 000003
【図２】
0003180529.tif 000004
【図３】
0003180529.tif 000005
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
内装監理士たる資格を保有することを証するための内装監理士用免許証であって、
カード型の免許証の一面の上側中央部分に内装監理士たる資格を保有することを証する証明部分と、
前記証明部分の下側に内装監理士を登録した者の氏名と、
前記氏名の下側に内装監理士を登録した者の登録番号と、
前記登録番号の下側に内装監理士を登録した登録年月日と、
前記登録年月日の下側に内装監理士たる資格が有効に免許される期限を示す有効期限と、
が少なくとも表示されていることを特徴とする内装監理士用免許証。
【請求項２】
前記証明部分、氏名、登録番号、登録年月日および有効期限が表示されている面における前記氏名、登録番号、登録年月日および有効期限の表示よりも右側に、内装監理士を登録する者の顔写真を表示する写真表示部が設けられることを特徴とする請求項１に記載の内装監理士用免許証。
【請求項３】
前記証明部分、氏名、登録番号、登録年月日および有効期限が記載されている面の裏側には、内装監理士に関する各種講習の受講履歴が記載される受講履歴部が設けられていることを特徴とする請求項１または２に記載の内装監理士用免許証。
【手続補正２】
【補正対象書類名】明細書
【補正対象項目名】０００４
【補正方法】変更
【補正の内容】
【０００４】
本考案は上述したような目的を達成するためになされた考案であって、
本考案の少なくとも一つの実施形態は、
内装監理士たる資格を保有することを証するための内装監理士用免許証であって、
カード型の免許証の一面の上側中央部分に内装監理士たる資格を保有することを証する証明部分と、
前記証明部分の下側に内装監理士を登録した者の氏名と、
前記氏名の下側に内装監理士を登録した者の登録番号と、
前記登録番号の下側に内装監理士を登録した登録年月日と、
前記登録年月日の下側に内装監理士たる資格が有効に免許される期限を示す有効期限と、
が少なくとも表示されていることを特徴とする。
【手続補正３】
【補正対象書類名】明細書
【補正対象項目名】０００５
【補正方法】変更
【補正の内容】
【０００５】
また、本考案の一実施形態は、
前記証明部分、氏名、登録番号、登録年月日および有効期限が表示されている面における前記氏名、登録番号、登録年月日および有効期限の表示よりも右側に、内装監理士を登録する者の顔写真を表示する写真表示部が設けられることを特徴とする。